(57)【要約】      （修正有）【課題】情報領域を２つ設けることができ、かつ不正開封を防止するカード作製用シートの提供。【解決手段】はがき作製用シート１０は、基材シート１１とこれに剥離可能で再接着不能に積層された透明フィルム２０と透明な粘着剤層２１と剥離シート２２とからなる。基材シート１１には、剥離シート２２側を内側として３つ折り可能とする２本のミシン目１５が形成され、剥離シート２２には、ミシン目１５により３つに区分される領域のうちの１の領域を第２情報領域２４として残し、他の領域を除去可能な除去用スリット２３が形成されている。基材シート１１のミシン目１５により３つに区分される領域のうち、除去用スリット２３に沿って剥離除去される剥離シート２２の領域に対応する２つの領域１２，１４には、透明フィルム２０から基材シート１１の一部を剥離するための開封用スリット１６，１７がそれぞれ形成され、残り１の領域は第１情報領域１４とされる。【選択図】図１
2007253421.tif 000002
【特許請求の範囲】
【請求項１】
一方の面に印刷可能な印刷可能面を有している基材シートと、この基材シートの前記印刷可能面とは反対側の面に対し剥離可能で再接着不能に積層された透明フィルムと、この透明フィルムに積層された透明な粘着剤層と、この粘着剤層に剥離可能に積層され、前記粘着剤層と重なり合っている面とは反対側の面が印刷可能面となっている剥離シートとからなり、
前記基材シートには、前記剥離シート側を内側として３つ折り可能とする２本の折り線が形成され、
前記剥離シートには、前記折り線により区分される３つの領域のうちの１の領域を残して他の領域を除去可能な除去用スリットまたはミシン目が形成され、
前記基材シートの前記折り線により区分される３つの領域のうち、前記除去用スリットまたはミシン目に沿って剥離除去される前記剥離シートに対応する２つの領域にはそれぞれ、前記透明フィルムから前記基材シートの一部を剥離するための開封用のスリットまたはミシン目が形成されていることを特徴とするカード作製用シート。
【請求項２】
前記剥離シートに形成されている前記除去用スリットまたはミシン目は、前記折り線により区分された３つの領域のうち残される前記１の領域内に形成されていることを特徴とする請求項１に記載のカード作製用シート。
【請求項３】
前記基材シートの前記２つの領域にそれぞれ形成されている前記開封用のスリットまたはミシン目のうち少なくとも一方は、前記基材シートの外周縁の一部につながるように形成されていることを特徴とする請求項１または請求項２に記載のカード作製用シート。
【請求項４】
前記基材シートの前記折り線により３つに区分された領域のうち両端に位置する２つの領域に、前記開封用のスリットまたはミシン目がそれぞれ形成され、
前記２本の折り線は、この折り線により３つに区分される領域のうち中央に位置する領域が前記両端に位置する２つの領域よりも広くなるように形成され、
前記両端に位置する領域のうち、１つの領域においては、前記開封用のスリットまたはミシン目の少なくとも一部が、前記折り線に沿って形成されると共に、前記１つの領域を内側にし前記両端に位置する領域のうち他方の領域が外側に配されるように前記折り線に沿って３つ折り状態としたときに、前記１つの領域に形成された前記開封用スリットまたはミシン目のうち前記折り線に沿って形成されている部分が前記他方の領域と重なり合わない位置に形成されていることを特徴とする請求項１ないし請求項３のいずれかに記載のカード作製用シート。
【請求項５】
前記基材シートの一部又は全部には、表示された情報を透かし見ることを防止する地紋が印刷されていることを特徴とする請求項１ないし請求項４のいずれかに記載のカード作製用シート。
【発明の詳細な説明】
【技術分野】
【０００１】
本発明は、カード作製用シートに関する。
【背景技術】
【０００２】
従来、個人情報など親展情報を通知・郵送する場合に使用される情報隠蔽はがきとしては、例えば特許文献１に記載のカード作製用シートを用いて情報隠蔽はがきとしたものなどが知られている。
【０００３】
このカード作製用シートは、以下のような構成となっている。基材シートはミシン目によって２つの領域に等分され、この２つの領域のうち１の領域には個人情報等（以下、情報などという）が印刷され、他の領域には剥離後再貼り付け可能な粘着剤からなる粘着剤層と剥離シートが積層されてなり、基材シートのうち情報などが印刷された面と反対側の面に宛名が印刷されている。
【０００４】
このカード作製用シートは以下のように使用される。
まず基材シートの２つの面のうち接着剤と剥離シートが積層されていない方の面に宛名を印刷し、他方の面のうち、前述の１の領域に情報などを印刷する。次に、他の領域の剥離シートを剥離して粘着剤層を露出させ、情報などが印刷されている領域が内側になるようにミシン目に沿って折り重ねて２つの領域全体を貼りあわせることで情報隠蔽はがきとされて郵送される。次いで、この情報隠蔽はがきを受け取った顧客などは、このはがきの周縁部などをつまんで基材シートの情報などが印刷された１の領域から他の領域を捲って、内側に印刷された情報などを読む。
【特許文献１】特開平１１−７０７６７号公報
【発明の開示】
【発明が解決しようとする課題】
【０００５】
上記した従来のカード作製用シートを使用した場合、基材シートの情報などが印刷された１の領域に他の領域の全体を貼り合わせてはがきなどを作製するので、内側に配される領域であって情報などを印刷可能な領域（以下、情報領域という）を１つしか設けることができないという問題がある。また、粘着剤として剥離後再貼り付け可能なものを使用していることから、内部の情報などを読んだ後に、情報などが印刷された１の領域と他の領域を貼りあわせることができるので不正開封が懸念される。
【０００６】
本発明は上記のような事情に基づいて完成されたものであって、情報領域を２つ設けることができ、かつ不正開封を防止するカード作製用シートを提供することを目的とする。
【課題を解決するための手段】
【０００７】
上記の目的を達成するための手段として、請求項１の発明は、一方の面に印刷可能な印刷可能面を有している基材シートと、この基材シートの前記印刷可能面とは反対側の面に対し剥離可能で再接着不能に積層された透明フィルムと、この透明フィルムに積層された透明な粘着剤層と、この粘着剤層に剥離可能に積層され、前記粘着剤層と重なり合っている面とは反対側の面が印刷可能面となっている剥離シートとからなり、前記基材シートには、前記剥離シート側を内側として３つ折り可能とする２本の折り線が形成され、前記剥離シートには、前記折り線により区分される３つの領域のうちの１の領域を残して他の領域を除去可能な除去用スリットまたはミシン目が形成され、前記基材シートの前記折り線により区分される３つの領域のうち、前記除去用スリットまたはミシン目に沿って剥離除去される前記剥離シートに対応する２つの領域にはそれぞれ、前記透明フィルムから前記基材シートの一部を剥離するための開封用のスリットまたはミシン目が形成されている構成としたところに特徴を有する。
【０００８】
請求項２の発明は、請求項１に記載のものにおいて、前記剥離シートに形成されている前記除去用スリットまたはミシン目は、前記折り線により区分された３つの領域のうち残される前記１の領域内に形成されているところに特徴を有する。
【０００９】
請求項３の発明は、請求項１または請求項２に記載のものにおいて、前記基材シートの前記２つの領域にそれぞれ形成されている前記開封用のスリットまたはミシン目のうち少なくとも一方は、前記基材シートの外周縁の一部につながるように形成されているところに特徴を有する。
【００１０】
請求項４の発明は、請求項１ないし請求項３のいずれかに記載のものにおいて、前記基材シートの前記折り線により３つに区分された領域のうち両端に位置する２つの領域に、前記開封用のスリットまたはミシン目がそれぞれ形成され、前記２本の折り線は、この折り線により３つに区分される領域のうち中央に位置する領域が前記両端に位置する２つの領域よりも広くなるように形成され、前記両端に位置する領域のうち、１つの領域においては、前記開封用のスリットまたはミシン目の少なくとも一部が、前記折り線に沿って形成されると共に、前記１つの領域を内側にし前記両端に位置する領域のうち他方の領域が外側に配されるように前記折り線に沿って３つ折り状態としたときに、前記１つの領域に形成された前記開封用スリットまたはミシン目のうち前記折り線に沿って形成されている部分が前記他方の領域と重なり合わない位置に形成されているところに特徴を有する。
【００１１】
請求項５の発明は、請求項１ないし請求項４のいずれかに記載のものにおいて、前記基材シートの一部又は全部には、表示された情報を透かし見ることを防止する地紋が印刷されているところに特徴を有する。
【発明の効果】
【００１２】
＜請求項１の発明＞
請求項１に記載のカード作製用シートを使用して、例えば、はがきを作製するには次のようにする。まず、基材シートの３つの領域のうち中央に位置する領域に郵送先の宛名などを印刷し、基材シートの３つの領域のうち端に位置する領域に、配信したい情報などを印刷する。詳しくは、開封用のスリットまたはミシン目が中央の領域と端の領域に形成されている場合には、開封用のスリットまたはミシン目の形成されていない他端側の領域に配信したい情報などを印刷し、開封用のスリットまたはミシン目が両端の領域に設けられている場合には両端の領域のうちいずれか一方の領域に配信したい情報などを印刷する。そして、基材シートの３つの領域のうち開封用のスリット又はミシン目が形成されていない領域に対応する剥離シートに配信したい情報などを印刷する。
【００１３】
次いで、剥離シートのうち情報などが印刷された領域を残して他の領域を除去用スリットまたはミシン目に沿って剥離して除去し、粘着剤層を露出させる。そして、剥離シートの情報が印刷された領域の印刷可能面と、基材シートの中央の領域または情報が印刷された１の領域の裏側に露出している粘着剤層とを重ねて貼り付けることで剥離シートの情報が印刷された領域が内側に配され、基材シートの情報などが印刷された１の領域がそれに重ねられる。次に、基材シートの残りの領域の裏側に露出している粘着剤層を基材シートの１の領域に重ねて貼り付けることで、基材シートの情報などが印刷された１の領域が内側に配されて１枚のはがきとされる。
【００１４】
このはがきを受け取った顧客などは、まず、はがきの裏側（宛名などが印刷されている面とは反対側の面）の開封用スリット又はミシン目に沿って基材シートを透明フィルムから剥離することで基材シートの１の領域に印刷されている情報を読み取ることができる。
【００１５】
基材シートの両端に開封用のスリットまたはミシン目が設けられている場合には、上記作業に続けて基材シートの１の領域に形成されている開封用のスリットまたはミシン目に沿って基材シートを透明フィルムから剥離して剥離シートに印刷された情報を読み取ることができる。
【００１６】
一方、基材シートの中央の領域に開封用スリットまたはミシン目が設けられている場合には、はがきを反転させて中央の領域（宛名などが印刷されている面）の開封用スリットまたはミシン目に沿って基材シートを透明フィルムから剥離することで、剥離シートに印刷された情報を読み取ることができる。
したがって、基材シートと剥離シートに１つずつ合計２の情報領域を設けることができる。
【００１７】
また、請求項１に記載の発明によれば基材シートに対して透明フィルムが剥離可能で再接着不能に積層されているから、基材シートを透明フィルムから剥離すると元の状態に戻すことができないので開封の履歴が残り不正開封を防止することができる。
【００１８】
＜請求項２の発明＞
請求項２に記載の発明によれば、剥離シートの除去用スリット又はミシン目は、折り線により３つに区分された領域のうち残される１の領域内に形成されているから、除去用スリットまたはミシン目に沿って剥離シートを一部除去した後に折り線のところに剥離シートが残存せず、折り線に沿って折り曲げた際にも剥離シートが２重に重なるところがない。したがって、折り線に沿って折り曲げやすいのでカードを作成する際の作業性がよく、作製されたカードの見た目も美しい。
【００１９】
＜請求項３の発明＞
請求項３に記載の発明によれば、基材シートの２つの領域にそれぞれ形成されている開封用のスリットまたはミシン目のうち少なくとも一方は、基材シートの外周縁の一部につながるように形成されているから、基材シートの外周縁の一部とつながっている部分を摘んで容易にカードを開封することができる。
【００２０】
＜請求項４の発明＞
基材シートの折り線により３つに区分された領域のうち、両端に位置する２つの領域に開封用のスリットまたはミシン目がそれぞれ形成されたカード作製用シートを用いて作製したカードを開封するには、両端に位置する領域のうち外側に配されている領域（以下、外側領域という）に形成された開封用のスリットまたはミシン目に沿って基材シートを透明フィルムから剥がした後、両端に位置する領域のうち内側に配されている領域（以下、内側領域という）に形成された開封用のスリットまたはミシン目に沿って基材シートを透明フィルムから剥がす必要がある。
【００２１】
上記のような構成のカードの内側領域と外側領域にそれぞれ形成されている開封用スリットまたはミシン目が、全域において重なり合う位置に配されていると、外側領域の開封用スリットまたはミシン目に沿って基材シートを透明フィルムから剥がす際に内側領域の基材シートまで１度に剥離されてしまうことがある。
【００２２】
また、上記のような構成のカード作製用シートに形成されている２本の折り線がこのカード作製シートを３等分するように設けられている場合には、外側領域と内側領域とがぴったり重なり合うから、外側領域の開封用スリットまたはミシン目に沿って基材シートを透明フィルムから剥がした後に内側領域の開封用スリットまたはミシン目の上に外側領域の透明フィルムや粘着剤層が残存することがあり、内側領域の開封用スリットまたはミシン目に沿って基材シートを透明フィルムから剥がす作業が円滑に行えない場合がある。
【００２３】
しかし、請求項４に記載のカード作製用シートを折り線に沿って折り重ねて、カードを作製すると、基材シートに形成されている２本の折り線は、折り線により区分された３つの領域のうち中央に位置する領域が他の２領域よりも広くなるように形成されているから、基材シートの端に位置する２つの領域のうち外側領域は内側領域の全体を覆い隠すことはなく、内側領域のうち外側領域の側縁と折り線の間の部分が露出している。
【００２４】
そして、内側領域においては、開封用のスリットまたはミシン目の少なくとも一部が、折り線に沿って形成されると共に、折り線に沿って３つ折り状態としたときに、内側領域に形成された開封用スリットまたはミシン目のうち折り線に沿って形成されている部分が外側領域と重なり合わない位置に形成されているから、前記内側領域のうち３つ折り状態で露出する部分に開封用スリットまたはミシン目の少なくとも一部が形成されている。したがって、外側領域の開封用スリットまたはミシン目に沿って基材シートを透明フィルムから剥がした後に、内側領域の開封用スリットまたはミシン目の上には外側領域の透明フィルムと粘着剤層は残存することはないから、内側領域の基材シートを透明フィルムから剥がす作業を円滑に行うことができる。
【００２５】
＜請求項５の発明＞
請求項５に記載の発明によれば、基材シートには、表示された情報を透かし見ることを防止する地紋が印刷されているから基材シートが薄い場合でも基材シートを透かして情報が読み取られることを確実に防止できる。
【発明を実施するための最良の形態】
【００２６】
＜実施形態１＞
本発明の実施形態１を図１ないし図１１によって説明する。
以下、本発明を情報隠蔽はがき作製用のシート１０（以下、はがき作製用シート１０という）に適用した実施形態１について図１ないし図１１を参照しながら説明する。本実施形態のはがき作製用シート１０は、例えば保険会社から顧客に送付される口座振替案内書を作製する際に使用されるものとして例示する。
【００２７】
本実施形態のはがき作製用シート１０は、図３に示すように、例えばインクジェットプリンタにより印刷可能な紙製の基材シート１１と、例えばポリエチレン製の透明フィルム２０と粘着剤層２１と、例えばインクジェットプリンタにより印刷可能な紙製の剥離シート２２とを順に重ね合わせてなり、その縦寸法（短片側寸法）は定型のはがきサイズとほぼ同一であり、横寸法（長辺側寸法）は定型のはがきサイズの約３倍の大きさであり、Ａ４の縦寸法と同サイズである。
【００２８】
基材シート１１は、図１に示すようにミシン目１５（本発明における折り線）が２本、短辺方向に沿って形成されることで３つの領域に区分されている。２本のミシン目１５は、３つの領域のうち、中央の領域が他の領域に比較して数ｍｍ幅広となるように形成されている。
【００２９】
基材シート１１のミシン目１５によって区分された３つの領域のうち図１の左側と中央の２領域１２，１３には、この２領域１２，１３の上下の二側縁と左側縁および右側のミシン目１５から数ｍｍ内側の矩形状の部分に、表示された情報を透かし見るのを防止する地紋が印刷されている。地紋印刷が施されている２領域１２，１３のうち中央の領域１３は、宛名などの文字が印刷されている宛名記載領域１３とされ、文字が印刷されている部分には地紋印刷が施されておらず、ユーザが印字するまでは白紙である。
【００３０】
宛名記載領域１３には、「郵便はがき」の文字、このはがきの郵送先（例えば顧客の氏名住所など）、差出人の氏名や住所などの文字が予め印刷されている。
【００３１】
図１における左側の領域１２は、基材シート１１の右側領域１４（後述する第１情報領域１４）に重ねられて、そこに記載された情報を隠蔽する隠蔽領域１２とされる。この隠蔽領域１２の地紋が印刷されている地紋印刷部１２Ａの下辺側には「（1）ここから剥がして内容をご確認ください」という取り扱い方法を示す文字が印刷され、地紋印刷部１２Ａの下辺に沿う直線状のスリット１６が隠蔽領域１２の左側縁（基材シート１１の一側縁）から左側のミシン目１５に至るように形成されている。この直線状のスリット１６は透明フィルム２０から基材シート１１の一部を剥離可能な開封用のスリット１６（以下、第１開封用スリット１６という）として機能する。
【００３２】
図１における右側の領域１４は、顧客に配信したい情報などが印刷されている第１情報領域１４とされ、この領域の左側縁には、隣接するミシン目１５に沿うように「（2）（1）を剥がしたあとここを剥がして内容をご確認ください」という取り扱い方法を示す文字が印刷されている。
【００３３】
第１情報領域１４には、配信したい情報などが印刷されている部分（以下、情報記載部１４Ａという）の左側縁と下側縁に沿って略Ｌ字状にスリット１７が入れられており、このスリット１７は透明フィルム２０から基材シート１１の一部を剥離可能な開封用のスリット１７（以下、第２開封用スリット１７という）として機能する。
【００３４】
詳しくは、第２開封用スリット１７のうち情報記載部１４Ａの下側縁に沿っている部分１７Ａは第１情報領域１４の右側縁（基材シート１１の一側縁）を始点として基材シート１１の下側縁に平行に数ｍｍの間隔をあけて開封方法を示す文字の手前まで形成され、はがき作製用シート１０をミシン目１５に沿って３つ折りした際に第１開封用スリット１６と重なり合う位置に配される。そして第２開封用スリット１７のうち情報記載部１４Ａの左側縁に沿っている部分１７Ｂは、基材シート１１の上側端を始点としてミシン目１５に平行に数ｍｍの間隔をあけて（本実施形態においては情報記載部１４Ａと開封方法を示す文字が印刷された部分との間）情報記載部１４Ａの下側縁に沿っている部分１７Ａにつながるように形成されている。
【００３５】
基材シート１１に積層されている透明フィルム２０は、基材シート１１の裏面に対し剥離可能で再接着不能に積層されている。
【００３６】
この透明フィルム２０に積層されている粘着剤層２１の粘着力は透明フィルム２０の裏面と剥離不能に設定されており、粘着剤層２１が相互に粘着した場合においても剥離不能に設定されている。粘着剤層２１に使用される粘着剤としては、透明なものが使用される。
【００３７】
この粘着剤層２１が重ねられている剥離シート２２には、裏面（粘着剤層２１側の面）にシリコン処理等の粘着性を低下させる処理が施されており、粘着剤層２１から容易に剥離することができるようになっている。
【００３８】
また、剥離シート２２には、ミシン目１５により３つに区分された領域のうち、図２における右側の領域２２Ａ（基材シート１１の隠蔽領域１２の裏側に相当）と左側の領域２２Ｃ（基材シート１１の第１情報領域１４の裏側に相当）の剥離シート２２を除去可能とする除去用スリット２３が、図２における中央の領域２２Ｂ（本発明における残される前記１の領域に相当）内に、左右のミシン目１５に対して平行に数ｍｍの間隔をあけて２本形成されている。
【００３９】
剥離シート２２の中央の領域２２Ｂは、顧客に配信したい情報などが印刷される第２情報領域２４とされ、はがき作製の際に残される領域である。
【００４０】
本実施形態のはがき作製用シート１０は以上の構成であり、次にその使用方法について説明する。
はがき作製用シート１０を使用する場合には、まず、ユーザが剥離シート２２の第２情報領域２４の印刷可能面の所定位置に顧客に配信したい情報などを印刷し、基材シート１１の宛名記載領域１３には宛名などを、第１情報領域１４には配信したい情報などを印刷する。この際、基材シート１１と剥離シート２２とは同型同大であって段差のない一枚の紙として取り扱うことができるから、プリンタ印刷特性は良好である。
【００４１】
印刷後、図４に示すように、左側領域２２Ｃの剥離シート２２（基材シート１１の第１情報領域１４の裏側）を除去用スリット２３に沿って剥離して粘着剤層２１を露出させ、ミシン目１５に沿って粘着剤層２１を内側にして折り重ね、残存している剥離シート２２の第２情報領域２４に貼り付ける（図５を参照）。
【００４２】
次に右側領域２２Ａの剥離シート２２（基材シート１１の隠蔽領域１２の裏側）を除去用スリット２３に沿って剥離して粘着剤層２１を露出させ、ミシン目１５に沿って粘着剤層２１を内側にして折り重ね、基材シート１１の第１情報領域１４の上に貼り付けて１枚のはがきとする（図６を参照）。
【００４３】
このとき、図８に示すように内側に配されている第１情報領域１４の一部においては外側に配されている隠蔽領域１２と重なり合わない部分があり、第２開封用スリット１７のうち下側縁に沿って形成されている部分１７Ａは第１開封用スリット１６と重なり合っているが、ミシン目１５に平行に形成されている部分１７Ｂは図７に示すように隠蔽領域１２と重なり合わない位置に形成されている。
【００４４】
上記のようにして作製されたはがきを投函して郵送すれば、配信情報は秘密状態のまま顧客などに郵送される。そして、このはがきを受け取った顧客は、地紋印刷部１２Ａに印刷されている「（1）ここから剥がして内容をご確認下さい」という取り扱い指示に従い、図９に示すように、左下の角の部分をつまんで第１開封用スリット１６に沿って基材シート１１の隠蔽領域１２を透明フィルム２０から剥離すると、第１情報領域１４に印刷された情報が読み取り可能となる（図１０参照）。このとき第１情報領域１４のうち隠蔽領域１２が重ねられていた部分には、隠蔽領域１２の透明フィルム２０と粘着剤層２１が残存しているが、隠蔽領域１２が重ねられていない左側縁部には残存していない。また、このように一旦、基材シート１１を透明フィルム２０から剥離すると、基材シート１１に対して透明フィルム２０は剥離可能で再接着不能に積層されていることから、再貼り付け不能となり開封の履歴が残る。
【００４５】
次いで、第１情報領域１４に印刷されている「（2）（1）を剥がしたあとここを剥がして内容をご確認ください」という取り扱い表示に従い左下の角を摘まんで第２開封用スリット１７に沿って基材シート１１の第１情報領域１４を透明フィルム２０から剥離すると剥離シート２２の第２情報領域２４に印刷された情報が読み取り可能となる（図１１参照）。このとき、第２開封用スリット１７のミシン目１５に平行に形成されている部分１７Ｂは隠蔽領域１２と重なり合っていないことから隠蔽領域１２の透明フィルム２０と粘着剤層２１が残存していないので、円滑に第１情報領域１４を透明フィルム２０から剥離することができる。そして、第１情報領域１４を透明フィルム２０から剥離すると、隠蔽領域１２を透明フィルム２０から剥離したときと同様に再貼り付け不能となり、開封の履歴が残る。
【００４６】
以上のように、本実施形態によれば、基材シート１１と剥離シート２２に１つずつ合計２の情報領域を設けることができる。そして、開封の履歴が残るから、不正開封を防止することができる。
【００４７】
また、除去用スリット２３は剥離シート２２の残される第２情報領域２４内に形成されているから、はがきを作製するために、剥離シート２２の一部を除去用スリット２３に沿って除去しても、ミシン目１５上に剥離シート２２が残存することはない上に、折り重ねた際に剥離シート２２が２重に重なることはない（図７を参照）ので、はがき作製の際の作業性がよく、出来上がったはがきの見た目も美しい。
【００４８】
さらに、第１開封用スリット１６の基材シート１１の外周縁の一部（一側縁）につながっている部分を摘まんで開封できるから、容易に開封できる。
【００４９】
加えて、第１開封用スリット１６に沿って基材シート１１を透明フィルム２０から剥がした後に、第２開封用スリット１７のうちミシン目１５に沿って形成された部分１７Ｂには、隠蔽領域１２の透明フィルム２０と粘着剤層２１は残存することはないから、第１情報領域１４の基材シート１１を透明フィルム２０から剥がす作業を円滑に行うことができる。
【００５０】
＜実施形態２＞
図１２ないし図２１は実施形態２のはがき作製用シート１０を示す。実施形態１と同一の構成については同一符号を付して重複する説明を省略し、異なるところについてのみ説明する。
【００５１】
実施形態２においては、開封用スリット１６，１７の形状と形成されている領域および第２情報領域２４の設けられている領域などが実施形態１とは異なる。
【００５２】
基材シート１１に設けられているミシン目１５は、中央の領域１３がやや幅広となるように形成されている程度で、３つ折り状態とした際に、隠蔽領域１２と第１情報領域１４とはわずかに重なり合っていない部分があるのみでほぼ全域において重なり合っている（図１７参照）。
【００５３】
基材シート１１に形成されている開封用スリット１６，１７は、図１２に示すように、基材シート１１の隠蔽領域１２とそれに隣接している宛名記載領域１３に印刷されている地紋印刷部１２Ａの左右辺と下辺に沿うように略コの字状に形成されている。
【００５４】
詳しくは、第１開封用スリット１６は隠蔽領域１２に形成され略Ｌ字状をなしており、隠蔽領域１２の左側縁に平行に数ｍｍの間隔をあけて形成された部分１６Ｂと下側縁に平行に数ｍｍの間隔をあけて形成された部分１６Ａとを備える。そして、第２開封用スリット１７は宛名記載領域１３に形成され、略Ｌ字状をなしており、第１開封用スリット１６のうち隠蔽領域１２の下側縁に平行な部分１６Ａからつながっている部分１７Ａとミシン目１５に平行に数ｍｍの間隔をあけて形成された部分１７Ｂとを備える。この第１および第２の開封用スリット１６，１７は、基材シート１１の上側縁につながるように形成されている。
【００５５】
また、実施形態１とは相違して、基材シート１１には開封の順序を指定するような取り扱い表示は印刷されておらず、隠蔽領域１２と宛名記載領域１３の地紋印刷部１２Ａの下辺部分に、それぞれ「ここから剥がして内容をご確認ください。」という表示が印刷されている。
【００５６】
第２情報領域２４は、剥離シート２２の図１３における左側の領域２２Ｃ（第１情報領域１４の裏側）に設けられている。そして、中央の領域２２Ｂの剥離シート２２を除去可能とする除去用スリット２３は第１情報領域１４内に形成され、さらに、右側の領域２２Ａの剥離シート２２を除去可能とする除去用スリット２３が中央の領域２２Ｂ内に形成されている。これらの除去用スリット２３はそれぞれミシン目１５に対して平行で数ｍｍの間隔をあけて形成されている。
【００５７】
本実施形態のはがき作製用シート１０は以上の構成であり、次にその使用方法について説明する。
まず、基材シート１１および剥離シート２２の所定位置に実施形態１と同様に情報などを印刷する。
【００５８】
印刷後、第２情報領域２４内に形成された除去用スリット２３に沿って中央の領域２２Ｂの剥離シート２２を剥離して粘着剤層２１を露出させ、ミシン目１５に沿って粘着剤層２１を内側にして折り重ね、第２情報領域２４を宛名記載領域１３の裏側に露出している粘着剤層２１に貼り付ける（図１５および図１６を参照）。このとき、図１５および図１６に示すように、第２情報領域２４は内側に配され、第１情報領域１４はまだ目視可能な状態にある。
【００５９】
次に中央領域２２Ｂ内に形成された除去用スリット２３に沿って右側領域２２Ａの剥離シート２２（基材シート１１の隠蔽領域１２の裏側）を剥離して粘着剤層２１を露出させ、ミシン目１５に沿って隠蔽領域１２の裏側の粘着剤層２１を内側にして折り重ね、基材シート１１の第１情報領域１４の上に貼り付けて１枚のはがきとする（図１７を参照）。
【００６０】
本実施形態においては、除去用スリット２３を剥離シート２２の２領域にそれぞれ設けているから、剥離シート２２をはがき作製の手順にしたがって１領域ずつ剥離することができ、全て剥離してからはがきを作製する場合のように、露出した粘着剤層２１にほこりがついたり、粘着剤層２１の粘着剤が手指についたりすることがない。
【００６１】
上記のようにして作製されたはがきを受け取った顧客は、はがきの裏表にそれぞれ設けられている開封用スリット１６，１７に沿って基材シート１１を透明フィルム２０から剥がすと内部に記載されている情報が読み取り可能となる。
【００６２】
具体的にははがきの表側の宛名記載領域１３に印刷されている「ここから剥がして内容をご確認下さい」という取り扱い指示に従い、図２０に示すように、宛名記載領域１３の右下の角の部分を摘まんで第２開封用スリット１７に沿って基材シート１１の宛名記載領域１３を透明フィルム２０から剥離すると剥離シート２２の第２情報領域２４に記載されている情報を読み取り可能となる。
【００６３】
また、はがきの裏側の隠蔽領域１２に印刷されている「ここから剥がして内容をご確認下さい」という取り扱い指示に従い、図２１に示すように、隠蔽領域１２の左下の角の部分を摘んで第１開封用スリット１６に沿って基材シート１１の隠蔽領域１２を透明フィルム２０から剥離すると、第１情報領域１４に印刷された情報が読み取り可能となる。
【００６４】
本実施形態によれば、できあがったはがきの表裏にそれぞれ開封用スリット１７が形成された領域１３と開封用スリット１６を形成した領域１２とを備えるので、実施形態１と相違して開封の手順が限定されない。
【００６５】
＜他の実施形態＞
本発明は上記記述及び図面によって説明した実施形態に限定されるものではなく、例えば次のような実施形態も本発明の技術的範囲に含まれる。
（１）本発明においては、基材シートの折り線としてミシン目を設けたが、ミシン目ではなく、折り目などであってもよい。
【００６６】
（２）上記実施形態においては、剥離シートの他の領域を除去可能な除去用スリットを残される領域に設けたが、折り線と一致する位置に設けても良いし、除去用ミシン目であってもよい。
【００６７】
（３）上記実施形態においては、開封用のスリットは基材シートの外周縁につながっているものを設けたが、外周縁につながっていないものであってもよいし、角の部分を摘みやすいように切れ目を入れたものであってもよい。また、開封用のミシン目であってもよい。
【００６８】
（４）上記実施形態においては、隠蔽領域と宛名記載領域に地紋が印刷されたものを用いたが、地紋が印刷されていないものや、隠蔽領域のみに地紋を印刷したものなどであってもよい。
【００６９】
（５）上記実施形態においては、はがきを作製するためのシートとして適用したが、はがきに限らず、手渡しするカードに適用することもできる。また、宛名記載領域に宛名などに代えて他の必要事項を印刷したり手書きしたりしても良い。
【図面の簡単な説明】
【００７０】
【図１】実施形態１のはがき作製用シートの表面図
【図２】その裏面図
【図３】図１のＡ−Ａ線で切断した断面図
【図４】はがきを作成する過程を示す表面図
【図５】図４のＢ−Ｂ線で切断した断面図
【図６】完成したはがきを示す表面図
【図７】図６のＣ−Ｃ線で切断した断面図
【図８】完成したはがきの裏面図
【図９】開封する手順を示す斜視図
【図１０】開封する手順を示す斜視図
【図１１】開封後のはがきを示す斜視図
【図１２】実施形態２のはがき作製用シートの表面図
【図１３】その裏面図
【図１４】図１２のＥ−Ｅ線で切断した断面図
【図１５】はがきを作成する過程を示す表面図
【図１６】図１５のＦ−Ｆ線で切断した断面図
【図１７】完成したはがきを示す裏面図
【図１８】図１７のＧ−Ｇ線で切断した断面図
【図１９】完成したはがきの表面図
【図２０】一方の開封用スリットに沿って開封した状態を示す斜視図
【図２１】開封後のはがきを示す斜視図
【符号の説明】
【００７１】
１０…はがき作製用シート
１１…基材シート
１２…隠蔽領域
１３…宛名記載領域
１４…第１情報記載領域
１５…ミシン目
１６…第１開封用スリット
１７…第２開封用スリット
２０…透明フィルム
２１…粘着剤層
２２…剥離シート
２４…第２情報領域
２３…除去用スリット
【図１】
2007253421.tif 000003
【図２】
2007253421.tif 000004
【図３】
2007253421.tif 000005
【図４】
2007253421.tif 000006
【図５】
2007253421.tif 000007
【図６】
2007253421.tif 000008
【図７】
2007253421.tif 000009
【図８】
2007253421.tif 000010
【図９】
2007253421.tif 000011
【図１０】
2007253421.tif 000012
【図１１】
2007253421.tif 000013
【図１２】
2007253421.tif 000014
【図１３】
2007253421.tif 000015
【図１４】
2007253421.tif 000016
【図１５】
2007253421.tif 000017
【図１６】
2007253421.tif 000018
【図１７】
2007253421.tif 000019
【図１８】
2007253421.tif 000020
【図１９】
2007253421.tif 000021
【図２０】
2007253421.tif 000022
【図２１】
2007253421.tif 000023